(57)【要約】【課題】  どのような画像に対しても発光ダイオードを駆動するために必要な最低限の電圧変動に応じた電圧調整を動的に行うことができる表示装置およびその制御方法を提供する。【解決手段】  ＣＰＵ１０は、映像入力から取得した画像情報によって表される画像を構成するすべての画素の色が黒色でないとき、デューティ比を予め定める下限値、たとえば４％に制限する。また、取得した画像情報によって表される画像を構成するすべての画素の色が黒色であるとき、各チャンネルの最も下流側にあるＬＥＤ２０のカソードの電圧を検知し、検知した電圧に基づいて、各チャンネルの最も上流側にあるＬＥＤ２０のアノードに印加する電圧を制御する機能をオフにし、デューティ比を予め定める下限値、たとえば４％に制限することを止める。【選択図】      図１
2013142869.tif 000002
【特許請求の範囲】
【請求項１】
複数の画素から構成される画像を表示する表示画面を有する表示装置であって、
前記表示画面の背面側に配置される発光素子と、
前記発光素子による電圧降下の電圧値を検知する電圧検知部と、
表示すべき画像に応じたデューティ比の電圧を前記発光素子に印加し、電圧検知部によって検知された電圧値に基づいて前記発光素子に印加する電圧を制御し、表示すべき画像を構成するすべての画素の色が黒色であるか否かを判定し、表示すべき画像を構成するすべての画素の色が黒色でないと判定したとき、前記デューティ比の下限を予め定める下限値に制限する電圧制御部とを含むことを特徴とする表示装置。
【請求項２】
前記電圧制御部は、表示すべき画像を構成するすべての画素の色が黒色であると判定したとき、前記電圧検知部によって検知された電圧値に基づいた電圧の印加を停止することを特徴とする請求項１に記載の表示装置。
【請求項３】
前記電圧制御部は、前記デューティ比の下限が予め定める下限値に制限された状態で、表示すべき画像を構成するすべての画素の色が黒色であると判定したとき、前記デューティ比の下限の制限を解除することを特徴とする請求項２に記載の表示装置。
【請求項４】
前記発光素子は、複数のエリアごとに直列に接続される複数の発光ダイオードによって構成され、
前記電圧制御部は、各エリアに表示すべき画像を構成するすべての画素の色が黒色であるか否かをエリアごとに判定し、判定結果に基づいてエリアごとにデューティ比の下限を予め定める下限値に制限するか否かを決定することを特徴とする請求項１〜３のいずれか１つに記載の表示装置。
【請求項５】
複数の画素から構成される画像を表示画面に表示する表示装置であって、前記表示画面の背面側に配置される発光素子と、前記発光素子による電圧降下の電圧値を検知する電圧検知部と、表示すべき画像に応じたデューティ比の電圧を前記発光素子に印加し、電圧検知部によって検知された電圧値に基づいて前記発光素子に印加する電圧を制御する電圧制御部とを含む表示装置によって実行される表示装置の制御方法であって、
表示すべき画像を構成するすべての画素の色が黒色であるか否かを判定する判定ステップと、
判定ステップで、表示すべき画像を構成するすべての画素の色が黒色でないと判定されたとき、デューティ比の下限を予め定める下限値に制限する制限ステップとを含むことを特徴とする表示装置の制御方法。
【発明の詳細な説明】
【技術分野】
【０００１】
本発明は、発光ダイオードを用いる表示装置およびその制御方法に関する。
【背景技術】
【０００２】
液晶ディスプレイなどの表示装置には、発光ダイオード（Light Emitting Diode：以下「ＬＥＤ」という）などの発光装置を用いるバックライト装置を用いるものがある。このバックライト装置は、エリアごとに直列に接続された複数のＬＥＤを、エリアごとにパルス幅変調（Pulse Width Modulation：以下「ＰＷＭ」という）方式で駆動するローカルディミング方式を採用している。
【０００３】
このようなバックライト装置では、各エリアのＬＥＤに印加する電圧のデューティ比を、表示する画像の輝度に応じたデューティ比で点灯している。しかし、ＬＥＤを駆動するために必要な最低限の電圧Ｖｆの変動に合わせてデューティ比を動的に調整しようとすると、電圧をオンにする最低限のオン期間が必要であるため、表示する画像に応じたデューティ比でそのまま点灯する方式では対応できない場合がある。また、高コントラストを実現するためには、バックライトを消灯させること、すなわち、デューティ比を０％にすることが必要であるが、同様に、最低限のオン期間が必要であるので、動的な電圧調整を行いつつ、不必要なバックライト点灯を抑えることはできない。
【０００４】
すなわち、表示する画像の輝度に応じたデューティ比の電圧をそのままＬＥＤに印加するバックライト装置は、デューティ比が小さくなると、電圧がオンの期間内に電圧を検知することができず、ＬＥＤに供給する電圧を調整することができない。このようなバックライト装置では、起動時に電圧を調整するのが一般的であり、動作中に動的な電圧調整を行うことはできない。したがって、このバックライト装置は、ＬＥＤを駆動するために必要な最低限の電圧Ｖｆが、温度上昇などによって動作中に変化しても対応することができない。
【０００５】
第１の従来技術として、特許文献１に記載される液晶表示装置がある。この液晶表示装置は、赤、緑および青の各色の光をそれぞれ発光するＬＥＤを有し、各色のＬＥＤをそれぞれ所定のデューティ比でパルス状に発光させる。この液晶表示装置は、各色のＬＥＤのデューティ比をいずれも５０％以下とし、赤色のＬＥＤの発光時間を緑色および青色のＬＥＤの発光時間のいずれよりも短い時間に設定することによって、表示色の色度調整を良好に行うことができるようにしている。
【先行技術文献】
【特許文献】
【０００６】
【特許文献１】特開２００３−１０７４２４号公報
【発明の概要】
【発明が解決しようとする課題】
【０００７】
しかしながら、第１の従来技術も、デューティ比が小さくなると、オンの期間内に電圧を検知することができず、ＬＥＤに供給する電圧を動的に調整することができないという問題がある。
【０００８】
本発明の目的は、どのような画像に対しても、発光ダイオードを駆動するために必要な最低限の電圧の変動に応じた電圧調整を動的に行うことができる表示装置およびその制御方法を提供することである。
【課題を解決するための手段】
【０００９】
本発明は、複数の画素から構成される画像を表示する表示画面を有する表示装置であって、
前記表示画面の背面側に配置される発光素子と、
前記発光素子による電圧降下の電圧値を検知する電圧検知部と、
表示すべき画像に応じたデューティ比の電圧を前記発光素子に印加し、電圧検知部によって検知された電圧値に基づいて前記発光素子に印加する電圧を制御し、表示すべき画像を構成するすべての画素の色が黒色であるか否かを判定し、表示すべき画像を構成するすべての画素の色が黒色でないと判定したとき、前記デューティ比の下限を予め定める下限値に制限する電圧制御部とを含むことを特徴とする表示装置である。
【００１０】
また本発明は、前記電圧制御部は、表示すべき画像を構成するすべての画素の色が黒色であると判定したとき、前記電圧検知部によって検知された電圧値に基づいた電圧の印加を停止することを特徴とする。
【００１１】
また本発明は、前記電圧制御部は、前記デューティ比の下限が予め定める下限値に制限された状態で、表示すべき画像を構成するすべての画素の色が黒色であると判定したとき、前記デューティ比の下限の制限を解除することを特徴とする。
【００１２】
また本発明は、前記発光素子は、複数のエリアごとに直列に接続される複数の発光ダイオードによって構成され、
前記電圧制御部は、各エリアに表示すべき画像を構成するすべての画素の色が黒色であるか否かをエリアごとに判定し、判定結果に基づいてエリアごとにデューティ比の下限を予め定める下限値に制限するか否かを決定することを特徴とする。
【００１３】
また本発明は、複数の画素から構成される画像を表示画面に表示する表示装置であって、前記表示画面の背面側に配置される発光素子と、前記発光素子による電圧降下の電圧値を検知する電圧検知部と、表示すべき画像に応じたデューティ比の電圧を前記発光素子に印加し、電圧検知部によって検知された電圧値に基づいて前記発光素子に印加する電圧を制御する電圧制御部とを含む表示装置によって実行される表示装置の制御方法であって、
表示すべき画像を構成するすべての画素の色が黒色であるか否かを判定する判定ステップと、
判定ステップで、表示すべき画像を構成するすべての画素の色が黒色でないと判定されたとき、デューティ比の下限を予め定める下限値に制限する制限ステップとを含むことを特徴とする表示装置の制御方法である。
【発明の効果】
【００１４】
本発明によれば、複数の画素から構成される画像を表示画面に表示するにあたって、発光素子は、前記表示画面の背面側に配置され、発光する。電圧検知部は、前記発光素子による電圧降下の電圧値を検知する。電圧制御部は、表示すべき画像に応じたデューティ比の電圧を前記発光素子に印加し、電圧検知部によって検知された電圧値に基づいて前記発光素子に印加する電圧を制御し、表示すべき画像を構成するすべての画素の色が黒色であるか否かを判定し、表示すべき画像を構成するすべての画素の色が黒色でないと判定したとき、前記デューティ比の下限を予め定める下限値に制限する。したがって、表示装置は、どのような画像に対しても、発光素子、たとえば発光ダイオードを駆動するために必要な最低限の電圧の変動に応じた電圧調整を動的に行うことができる。
【００１５】
また本発明によれば、前記電圧制御部は、表示すべき画像を構成するすべての画素の色が黒色であると判定したとき、前記電圧検知部によって検知された電圧値に基づいた電圧の印加を停止する。したがって、表示装置は、表示すべき画像の輝度が低くなったとき、最適なデューティ比で制御することができる。
【００１６】
また本発明によれば、前記電圧制御部は、表示すべき画像を構成するすべての画素の色が黒色であると判定したとき、前記デューティ比の下限の制限を解除する。したがって、デューティ比が０％となり、表示装置は、発光ダイオードでの消費電力を低減することができる。
【００１７】
また本発明によれば、前記発光素子は、複数のエリアごとに直列に接続される複数の発光ダイオードによって構成される。そして、前記電圧制御部は、各エリアに表示すべき画像を構成するすべての画素の色が黒色であるか否かをエリアごとに判定し、判定結果に基づいてエリアごとにデューティ比の下限を予め定める下限値に制限するか否かを決定する。したがって、表示装置は、発光素子、たとえば発光ダイオードでの消費電力をより低減することができる。
【００１８】
また本発明によれば、複数の画素から構成される画像を表示画面に表示する表示装置であって、前記表示画面の背面側に配置される発光素子と、前記発光素子による電圧降下の電圧値を検知する電圧検知部と、表示すべき画像に応じたデューティ比の電圧を前記発光素子に印加し、電圧検知部によって検知された電圧値に基づいて前記発光素子に印加する電圧を制御する電圧制御部とを含む表示装置によって実行される表示装置の制御方法を実行するにあたって、判定ステップでは、表示すべき画像を構成するすべての画素の色が黒色であるか否かを判定する。そして、制限ステップでは、判定ステップで、表示すべき画像を構成するすべての画素の色が黒色でないと判定されたとき、デューティ比の下限を予め定める下限値に制限する。したがって、表示装置の制御方法は、どのような画像に対しても、発光素子、たとえば発光ダイオードを駆動するために必要な最低限の電圧の変動に応じた電圧調整を動的に行うことができる。
【図面の簡単な説明】
【００１９】
【図１】本発明の一実施形態である液晶ディスプレイ１の構成を示すブロック図である。
【図２】ＬＥＤデバイス１６のエリア分割を説明するための図である。
【図３】駆動電圧のデューティ比を説明するための図である。
【図４】第１のＬＥＤ制御処理の処理手順を示すフローチャートである。
【図５】第２のＬＥＤ制御処理の処理手順を示すフローチャートである。
【発明を実施するための形態】
【００２０】
図１は、本発明の一実施形態である液晶ディスプレイ１の構成を示すブロック図である。表示装置である液晶ディスプレイ１は、中央処理装置（Central Processing Unit：以下「ＣＰＵ」という）１０、リードオンリーメモリ（Read Only Memory：以下「ＲＯＭ」という）１１、ランダムアクセスメモリ（Random Access Memory：以下「ＲＡＭ」という）１２、液晶ディスプレイ（Liquid Crystal Display：以下「ＬＣＤ」という）パネル１３、ＬＣＤパネルコントローラ１４およびバックライト１５を含んで構成される。液晶ディスプレイ１は、複数の画素から構成される画像を表示画面に表示する。
【００２１】
ＣＰＵ１０は、ＲＯＭ１１に記憶されるプログラムを実行することによって、ＬＣＤパネルコントローラ１４およびバックライト１５を制御する。ＲＯＭ１１は、たとえばフラッシュメモリなどの不揮発性の書き換え可能な半導体メモリによって構成される。ＲＯＭ１１は、ＣＰＵ１０によって実行されるプログラム、および初期設定のため情報を記憶している。ＲＡＭ１２は、たとえば静的ランダムアクセスメモリ（Static Random Access Memory）：以下「ＳＲＡＭ」という）などの書き換え可能な半導体メモリによって構成される。ＲＡＭ１２は、ＣＰＵ１０がプログラムを実行するために必要な情報を記憶する。
【００２２】
ＬＣＤパネル１３は、たとえば液晶パネルによって構成される。ＬＣＤパネル１３は、ＬＣＤパネルコントローラ１４から受け取る画像情報を画像として表示する。ＬＣＤパネルコントローラ１４は、ＬＣＤパネル１３を制御する。ＣＰＵ１０は、映像信号を出力する装置、たとえば映像再生装置から受け取る映像入力を画像情報に変換して、ＬＣＤパネルコントローラ１４に送る。ＬＣＤパネルコントローラ１４は、ＣＰＵ１０から受け取る画像情報をＬＣＤパネル１３に送って画像として表示させる。
【００２３】
バックライト１５は、発光ダイオード（Light Emitting Diode：以下「ＬＥＤ」という）デバイス１６、ＬＥＤ制御デバイス１７および電源供給部１８を含んで構成される。バックライト１５は、ＬＣＤパネル１３の背面側に設けられ、ＬＣＤパネル１３を背面側から照明する。ＬＥＤ２０は、発光素子である。
【００２４】
図２は、ＬＥＤデバイス１６のエリア分割を説明するための図である。ＬＥＤデバイス１６は、複数のエリア１９、たとえば縦１２個および横１６個からなる合計１９２個のエリア１９に分割されている。各エリア１９は、直列に接続される複数のＬＥＤ２０、たとえば６個のＬＥＤ２０を含む。１つのエリアに含まれる６個のＬＥＤ２０によって、１つのチャンネルが構成される。したがって、ＬＥＤデバイス１６には、１９２個のチャンネルが形成される。
【００２５】
図１を参照して、電圧検知部であるＬＥＤ制御デバイス１７は、ＬＥＤデバイス１６を制御するドライバである。ＬＥＤ制御デバイス１７は、ＣＰＵ１０からの指示によって、各チャンネルに印加する電圧の制御、およびパルス幅変調（Pulse Width Modulation：以下「ＰＷＭ」という）方式による輝度の制御をチャンネルごとに行う。ＰＷＭ方式で駆動する駆動電圧の周波数は、たとえば１５６０Ｈｚである。ＬＥＤ制御デバイス１７は、チャンネルごとに直列に接続される複数のＬＥＤ２０による電圧降下の電圧値を検知し、検知した電圧値をＣＰＵ１０に送る。
【００２６】
電源供給部１８は、各チャンネルに電圧を印加する。各チャンネルに印加する電圧は、電圧３７．５Ｖが基準となる電圧であるが、ＣＰＵ１０の指示によって、チャンネルごとに可変である。また、電源供給部１８は、ＣＰＵ１０の指示によって、チャンネル単位で電圧の供給を停止することができる。ＣＰＵ１０は、電圧制御部である。
【００２７】
図３は、駆動電圧のデューティ比を説明するための図である。縦軸は電圧であり、横軸は時間である。図３（ａ）は、デューティ比が５０％のときの駆動電圧の波形である。デューティ比は、ＰＷＭ方式で駆動される駆動電圧の１周期Ｔのうち、オンとなるパルス幅Ｔ１が占める割合であり、百分率で示される。
【００２８】
ＬＥＤ制御デバイス１７は、各チャンネルの最も下流側にあるＬＥＤ２０のカソードの電圧値を検知し、検知した電圧値をＣＰＵ１０に送る。各チャンネルの最も下流側にあるＬＥＤ２０のカソードの電圧値を検知することは、各チャンネルのＬＥＤ２０による電圧降下の電圧値を検知することである。
【００２９】
ＣＰＵ１０は、ＬＥＤ制御デバイス１７から受け取った電圧値に基づいて、各チャンネルの最も上流側にあるＬＥＤ２０のアノードに印加する電圧を制御する。具体的には、ＣＰＵ１０は、各チャンネルのＬＥＤ２０に印加する電圧を、「Ｖｆ電圧＋０．５Ｖ」となるように制御する。Ｖｆ電圧は、各チャンネルのＬＥＤ２０を駆動するために必要な最低限の電圧である。したがって、液晶ディスプレイ１は、ＬＥＤ２０のＶｆ電圧のバラつきによる消費電力を調節することができ、ＬＥＤデバイス１６での消費電力のロスを最小限に抑えることができる。
【００３０】
しかしながら、ＬＥＤ制御デバイス１７が各チャンネルの最も下流側にあるＬＥＤ２０のカソードの電圧値を検出するためには、駆動電圧がオンとなるオン期間は、予め定める検知可能期間、たとえば２５μ秒以上必要である。
【００３１】
図３（ｂ）は、駆動電圧のオン期間Ｔ２が検知可能期間未満である駆動電圧の波形の一例である。ＬＥＤ２０の発光を画像の輝度に応じたデューティ比で制御する場合、画像の輝度によっては、デューティ比が４％以下の場合やデューティ比が０％になる場合がある。
【００３２】
ＰＷＭ方式で駆動する駆動電圧の周波数がたとえば１５６０Ｈｚである場合、１周期Ｔは、約６４０μ秒であり、２５μ秒は、１周期Ｔの３．９％となる。すなわち、デューティ比が３．９％未満になり、駆動電圧のオン期間が検知可能期間を下回ると、ＬＥＤ制御デバイス１７は、電圧値を正常に検出することができず、ＣＰＵ１０は、出力電圧の調整ができない。
【００３３】
図３（ｃ）は、駆動電圧のオン期間Ｔ３が検知可能期間以上である駆動電圧の波形の一例である。駆動電圧のオン期間が検知可能期間以上であれば、ＬＥＤ制御デバイス１７は、電圧値を正常に検出することができる。そこで、ＣＰＵ１０は、表示すべき画像を構成するすべての画素の色が黒色でない場合、デューティ比の下限を予め定める下限値、たとえば４％に制限する。ＣＰＵ１０は、デューティ比の下限を制限することによって、検知可能期間以上のオン期間を確保する。
【００３４】
また、ＣＰＵ１０は、表示すべき画像を構成するすべての画素の色が黒色である場合、ＬＥＤドライバの調整機能をオフとし、デューティ比を０％としてＬＥＤ２０を消灯できるようにする。ＬＥＤドライバの調整機能とは、各チャンネルの最も下流側にあるＬＥＤ２０のカソードの電圧値を検知し、検知した電圧値に基づいて、各チャンネルの最も上流側にあるＬＥＤ２０のアノードに印加する電圧を制御する機能である。
【００３５】
ＣＰＵ１０は、このように制御にすることによって、入力無し状態、つまり表示すべき画像を構成するすべての画素の色が黒色である状態での消費電力を削減し、高コントラストを実現することができる。
【００３６】
図４は、第１のＬＥＤ制御処理の処理手順を示すフローチャートである。第１のＬＥＤ制御処理は、ＬＥＤデバイス１６全体で、すなわちエリアごとではなく、ＬＥＤ２０に印加する電圧およびデューティ比で制御する処理である。ＣＰＵ１０は、液晶ディスプレイ１の電源が投入され、動作可能状態になると、ステップＡ１に移る。
【００３７】
ステップＡ１では、ＣＰＵ１０は、画像を取得する。具体的には、ＣＰＵ１０は、映像入力から画像情報を取得する。判定ステップであるステップＡ２では、ＣＰＵ１０は、全黒画像であるか否かを判定する。ＣＰＵ１０は、取得した画像情報によって表される画像を構成するすべての画素の色が黒色であるとき、全黒画像であると判定して、ステップＡ３に進み、取得した画像情報によって表される画像を構成するすべての画素の色が黒色でないとき、全黒画像でないと判定して、ステップＡ５に進む。
【００３８】
ステップＡ３では、ＣＰＵ１０は、ドライバの電源検知動作をオフにする。ドライバの電源検知動作をオフにするとは、ＬＥＤドライバの調整機能をオフにすることである。ステップＡ４では、ＣＰＵ１０は、デューティ比の下限が予め定める下限値であるたとえば４％に制限された状態から最低デューティ比の制限を解除し、また制限されていない状態であれば、制限を解除した状態を維持して、ステップＡ１に戻る。すなわち、ＣＰＵ１０は、デューティ比を予め定める下限値、たとえば４％に制限することを止め、またディーティ比の下限が制限されていない状態であれば、その状態を維持して、ステップＡ１に戻る。
【００３９】
制限ステップであるステップＡ５では、ＣＰＵ１０は、最低デューティ比を４％に制限して、ステップＡ１に戻る。すなわち、ＣＰＵ１０は、デューティ比を予め定める下限値、たとえば４％に制限して、ステップＡ１に戻る。
【００４０】
図５は、第２のＬＥＤ制御処理の処理手順を示すフローチャートである。第２のＬＥＤ制御処理は、エリアごとに、ＬＥＤ２０に印加する電圧およびデューティ比で制御する処理である。ＣＰＵ１０は、液晶ディスプレイ１の電源が投入され、動作可能状態になると、ステップＢ１に移る。
【００４１】
ステップＢ１では、ＣＰＵ１０は、画像を取得する。具体的には、ＣＰＵ１０は、映像入力から画像情報を取得する。ステップＢ２では、ＣＰＵ１０は、変数ｎを初期値の「１」とする。ステップＢ３では、ＣＰＵ１０は、「エリアｎ」が全黒画像であるか否かを判定する。「エリアｎ」は、第ｎ番目のエリアであることを表す。ＣＰＵ１０は、「エリアｎ」に表示すべき画像を構成するすべての画素の色が黒色であるとき、「エリアｎ」が全黒画像であると判定して、ステップＢ４に進み、「エリアｎ」に表示すべき画像を構成するすべての画素の色が黒色でないとき、「エリアｎ」が全黒画像でないと判定して、ステップＢ７に進む。
【００４２】
ステップＢ４では、ＣＰＵ１０は、「エリアｎ」のドライバの電源検知動作をオフにする。「エリアｎ」のドライバの電源検知動作をオフにするとは、第ｎ番目のエリアに対するＬＥＤドライバの調整機能をオフにすることである。ステップＢ５では、ＣＰＵ１０は、「エリアｎ」の最低デューティ比の制限を解除し、また制限されていない状態であれば、制限を解除した状態を維持する。すなわち、ＣＰＵ１０は、第ｎ番目のエリアに対するデューティ比を予め定める下限値、たとえば４％に制限することを止め、またディーティ比の下限が制限されていない状態であれば、その状態を維持する。
【００４３】
ステップＢ６では、ＣＰＵ１０は、変数ｎが「１９２」であるか否かを判定する。ＣＰＵ１０は、変数ｎが「１９２」であるとき、ステップＢ１に戻り、変数ｎが「１９２」でないとき、ステップＢ８に進む。ステップＢ７では、ＣＰＵ１０は、「エリアｎ」の最低デューティ比を４％に制限して、ステップＢ６に進む。すなわち、ＣＰＵ１０は、第ｎ番目のエリアに対するデューティ比を予め定める下限値、たとえば４％に制限して、ステップＢ６に進む。ステップＢ８では、ＣＰＵ１０は、変数ｎに「１」を加算して、ステップＢ３に戻る。
【００４４】
このように、複数の画素から構成される画像を表示画面に表示するにあたって、ＬＥＤ２０は、前記表示画面の背面側に配置され、発光する。ＬＥＤ制御デバイス１７は、ＬＥＤ２０による電圧降下の電圧値を検知する。ＣＰＵ１０は、表示すべき画像に応じたデューティ比の電圧をＬＥＤ２０に印加し、ＬＥＤ制御デバイス１７によって検知された電圧値に基づいてＬＥＤ２０に印加する電圧を制御し、表示すべき画像を構成するすべての画素の色が黒色であるか否かを判定し、表示すべき画像を構成するすべての画素の色が黒色でないと判定したとき、前記デューティ比の下限を予め定める下限値に制限する。したがって、液晶ディスプレイ１は、どのような画像に対しても、ＬＥＤ２０を駆動するために必要な最低限の電圧の変動に応じた電圧調整を動的に行うことができる。
【００４５】
さらに、ＣＰＵ１０は、表示すべき画像を構成するすべての画素の色が黒色であると判定したとき、ＬＥＤ制御デバイス１７によって検知された電圧値に基づいた電圧の印加を停止する。したがって、液晶ディスプレイ１は、表示すべき画像の輝度が低くなったとき、最適なデューティ比で制御することができる。
【００４６】
さらに、ＣＰＵ１０は、表示すべき画像を構成するすべての画素の色が黒色であると判定したとき、前記デューティ比の下限の制限を解除する。したがって、デューティ比が０％となり、液晶ディスプレイ１は、発光ダイオードでの消費電力を低減することができる。
【００４７】
さらに、ＬＥＤ２０は、複数のエリアごとに直列に接続される複数の発光ダイオードによって構成される。そして、ＣＰＵ１０は、各エリアに表示すべき画像を構成するすべての画素の色が黒色であるか否かをエリアごとに判定し、判定結果に基づいてエリアごとにデューティ比の下限を予め定める下限値に制限するか否かを決定する。したがって、液晶ディスプレイ１は、発光ダイオードでの消費電力をより低減することができる。
【００４８】
さらに、複数の画素から構成される画像を表示画面に表示する液晶ディスプレイ１であって、前記表示画面の背面側に配置され、発光するＬＥＤ２０と、ＬＥＤ２０による電圧降下の電圧値を検知するＬＥＤ制御デバイス１７と、表示すべき画像に応じたデューティ比の電圧をＬＥＤ２０に印加し、ＬＥＤ制御デバイス１７によって検知された電圧値に基づいてＬＥＤ２０に印加する電圧を制御するＣＰＵ１０とを含む液晶ディスプレイ１によって実行される表示装置の制御方法を実行するにあたって、ステップＡ２では、表示すべき画像を構成するすべての画素の色が黒色であるか否かを判定する。そして、ステップＡ５では、ステップＡ２で、表示すべき画像を構成するすべての画素の色が黒色でないと判定されたとき、デューティ比の下限を予め定める下限値に制限する。したがって、表示装置の制御方法は、どのような画像に対しても、発光ダイオードを駆動するために必要な最低限の電圧の変動に応じた電圧調整を動的に行うことができる。
【符号の説明】
【００４９】
１  液晶ディスプレイ
１０  ＣＰＵ
１１  ＲＯＭ
１２  ＲＡＭ
１３  ＬＣＤパネル
１４  ＬＣＤパネルコントローラ
１５  バックライト
１６  ＬＥＤデバイス
１７  ＬＥＤ制御デバイス
１８  電源供給部
１９  エリア
２０  ＬＥＤ
【図１】
2013142869.tif 000003
【図２】
2013142869.tif 000004
【図３】
2013142869.tif 000005
【図４】
2013142869.tif 000006
【図５】
2013142869.tif 000007